(57)【要約】【課題】  電気コネクタにおいて、電気コネクタの小型化または低背化を妨げることなく、コネクタハウジングに収容された端子が確実に係止できるようにするとともに、端子の係止解除の操作性を向上させる。  【解決手段】  電気コネクタ１は、開口部２３が設けられたコネクタハウジング本体２と、開口部２３に挿着されるリテーナ３からなる。リテーナ３は、係止爪３４ａにより端子４を仮係止する、弾性を有する仮係止部３４と、端子４を挿入する貫通孔を挟んで仮係止部３４の反対側に設けられて、端子４を本係止する肩部３５ａからなる本係止部３５とを備える。端子４はリテーナ３が開口部２３に浅く挿入された第一の位置において仮係止部３４によって仮係止され、さらに深く挿入された第二の位置において仮係止が完全に外れて、本係止部３５によって本係止される。コネクタハウジング本体２とリテーナ３の左右両側壁に仮係止を解除するための窓部を設ける。【選択図】          図７
2006344538.tif 000002
【特許請求の範囲】
【請求項１】
内部に端子を収容し、側壁に開口部が設けられたコネクタハウジング本体と、
該開口部に挿着されて、端子が挿通される貫通孔を有するリテーナとからなる電気コネクタにおいて、
該リテーナが、前記貫通孔に挿通される端子に向かって突出した係止爪を備えた弾性を有するランスであって、前記リテーナが前記開口部に浅く挿入された第一の位置において、前記係止爪が前記コネクタハウジング本体に挿入された前記端子の仮係止用凹部に係止して、該端子を仮係止する仮係止部と、
前記貫通孔を挟んで前記仮係止部の反対側に位置する肩部であって、前記リテーナが前記第一の位置からさらに深く挿入され、前記コネクタハウジング本体に完全に挿入された第二の位置において、前記端子の本係止用段部に係止して、該端子を本係止する本係止部とを備え、
前記第二の位置では、前記仮係止部による前記端子の前記仮係止が外れることを特徴とする電気コネクタ。
【請求項２】
前記リテーナが前記コネクタハウジング本体に挿着された時に、該コネクタハウジング本体の外部から前記仮係止部の前記仮係止を解除するために、該コネクタハウジング本体と前記リテーナの前記仮係止部を挟んで対向する左右両側壁の少なくとも一方に、窓部が設けられたことを特徴とする請求項１に記載の電気コネクタ。
【請求項３】
前記リテーナの前記左右両側壁の外面の少なくとも一方に、少なくとも１つの凸部が設けられ、
該リテーナの両側壁の外面に対向する前記コネクタハウジング本体の前記左右両側壁の内面の少なくとも一方に、前記凸部と係合して前記リテーナを前記第一の位置と前記第二の位置に保持する凹部が設けられており、
該凹部の少なくとも１つが孔の一部と兼用されており、該孔が前記窓部を構成しているものであることを特徴とする請求項１または２のいずれかに記載の電気コネクタ。
【発明の詳細な説明】
【技術分野】
【０００１】
本発明は、電気コネクタに関し、特にコネクタハウジング内に端子を固定する構造に関するものである。
【背景技術】
【０００２】
従来、コネクタハウジング（以下、単にハウジングという。）内に収容された端子を固定するための構造として、ハウジング内部に設けた弾性を有する係止用部材（ハウジングランス）によって端子を係止するものが知られている。しかしながら、このランスは、絶縁性の樹脂によりハウジングと一体に成形されるのが通常であるため形状に制限があり、コネクタの構造上その弾性変位量を十分に確保できない場合には端子を確実に係止できず、また弾性変位量を大きくする、すなわちランスの腕を長くする場合には端子を固定するために十分な保持強度を得られないおそれがあった。
【０００３】
このため、ハウジングに収容された端子を、まずランスによって一次係止し、さらにハウジングの外周壁に開けられた孔から端子抜け止め用の部材（リテーナ）を挿入して二次係止する、いわゆる二重係止構造が採用されている。
【０００４】
また、二重係止構造としては、例えば、ハウジングに収容された端子に対して、リテーナに設けられたランスによる係止とリテーナの係止段部による係止が同時に行われているものも開示されている。（特許文献１）
【特許文献１】特許第３３１１２２８号公報
【発明の開示】
【発明が解決しようとする課題】
【０００５】
上記のような従来の二重係止構造の電気コネクタでは、ハウジングに収容された端子に対して、ハウジング又はリテーナのランスによる一次係止とリテーナによる二次係止が同時に行われている。しかし、端子の固定保持は、主にリテーナによって担われており、ランスの寄与はあまり大きくない。しかも、ランスによって端子を確実に係止できるようにしようとすると、弾性変位量を十分に確保する必要があるためコネクタの小型化または低背化を妨げてしまうという問題がある。
【０００６】
また、上述したような従来のコネクタは、リテーナの前方、すなわち端子の挿入口側に、端子の係止を解除するための窓部が設けられているものがあり、それらはコネクタハウジングの内部に収容された端子の係止の状態が外部から目視し難く、棒状の解除治具を挿入して該係止の解除をする際に、操作しづらいといった問題がある。
【０００７】
本発明はかかる事情に鑑みてなされたものであり、電気コネクタの小型化または低背化を妨げることなく、コネクタハウジングに収容された端子が確実に係止できるようにするとともに、端子の係止解除の操作性を向上させた電気コネクタを提供することを目的とするものである。
【課題を解決するための手段】
【０００８】
本発明の電気コネクタは、内部に端子を収容し、側壁に開口部が設けられたコネクタハウジング本体と、
該開口部に挿着されて、端子が挿通される貫通孔を有するリテーナとからなる電気コネクタにおいて、
該リテーナが、前記貫通孔に挿通される端子に向かって突出した係止爪を備えた弾性を有するランスであって、前記リテーナが前記開口部に浅く挿入された第一の位置において、前記係止爪が前記コネクタハウジング本体に挿入された前記端子の仮係止用凹部に係止して、該端子を仮係止する仮係止部と、
前記貫通孔を挟んで前記仮係止部の反対側に位置する肩部であって、前記リテーナが前記第一の位置からさらに深く挿入され、前記コネクタハウジング本体に完全に挿入された第二の位置において、前記端子の本係止用段部に係止して、該端子を本係止する本係止部とを備え、
前記第二の位置では、前記仮係止部による前記端子の前記仮係止が外れることを特徴とするものである。
【０００９】
ここで、本発明において側壁とは、相手コネクタとの嵌合方向すなわち端子の挿入方向と平行する面の壁のことをいう。
【００１０】
なお、本発明では、電気コネクタにおいて相手コネクタとの嵌合面を前面、電線が接続される側の面を後面とする。
【００１１】
また、本発明の電気コネクタは、前記リテーナが前記コネクタハウジング本体に挿着された時に、該コネクタハウジング本体の外部から前記仮係止部の前記仮係止を解除するために、該コネクタハウジング本体と前記リテーナの前記仮係止部を挟んで対向する左右両側壁の少なくとも一方に、窓部を設けることができる。
【００１２】
なお、前記リテーナの前記左右両側壁の外面の少なくとも一方に、少なくとも１つの凸部が設けられ、
該リテーナの両側壁の外面に対向する前記コネクタハウジング本体の前記左右両側壁の内面の少なくとも一方に、前記凸部と係合して前記リテーナを前記第一の位置と前記第二の位置に保持する凹部が設けられており、
該凹部の少なくとも１つが孔の一部と兼用されており、該孔が前記窓部を構成していることが好ましい。
【発明の効果】
【００１３】
上記のように構成された本発明による電気コネクタによれば、リテーナが、弾性を有し端子を仮係止する仮係止部と、端子を本係止する本係止部とを備えているため、本係止部が弾性変位量を確保する必要がないので、電気コネクタの小型化または低背化を妨げる要素が低減し、さらに端子の本係止に必要な強度を十分に備えることができるため、本係止部によって端子を確実に本係止することができる。
【００１４】
また、本係止は本係止部によってなされているので、仮係止部の弾性変位量を従来より小さくしても、端子を確実に係止することができ、仮係止部の変位空間を大きくする必要がないので、コネクタの小型化にも有利である。
【００１５】
また、弾性変位量を確保するために仮係止部を長くする必要がないため、破損しにくくなり、仮係止時に端子を仮係止するための保持力を大きくすることもできる。
【００１６】
また、本係止部が貫通孔を挟んで仮係止部の反対側に設けられていて、リテーナが第一の位置から第二の位置に向かって挿入されることにより、第一の位置において仮係止部によって仮係止されていた端子の仮係止が、第二の位置で完全に外れて、端子は本係止部によって本係止されるので、端子は対向する２方向から挟まれるようにして、仮係止部と本係止部の少なくとも一方によって必ず係止されている状態を保持することができて、端子がコネクタハウジング本体から抜ける可能性を低減させることができる。
【００１７】
また、リテーナがコネクタハウジング本体に挿着された時に、コネクタハウジング本体の外部から仮係止部の仮係止を解除するために、コネクタハウジング本体とリテーナの仮係止部を挟んで対向する左右両側壁の少なくとも一方に、窓部が設けられた場合には、棒状の解除治具を挿入して操作する際に、仮係止の状態を外部から目視しながら操作することができるため、容易に係止を解除することができ、係止解除の操作性を向上させることができる。
【００１８】
さらに、リテーナの左右両側壁の外面の少なくとも一方に、少なくとも１つの凸部が設けられ、リテーナの両側壁の外面に対向するコネクタハウジング本体の左右両側壁の内面の少なくとも一方に、前記凸部と係合してリテーナを第一の位置と第二の位置に保持する凹部が設けられた場合には、第一の位置と第二の位置のそれぞれにおいて、リテーナをコネクタハウジング本体に確実に係止することができる。したがって、第一の位置では、コネクタハウジング本体の挿入口とリテーナの貫通孔とが確実に連通した状態を保持できるため、端子をコネクタハウジング本体に円滑に挿入することができ、第二の位置では、端子を本係止しているリテーナを、コネクタハウジング本体に係止しているので、端子の係止を強化することができる。
【００１９】
なお、従来の構造のコネクタは、ランスがコネクタハウジング本体と一体成形で形成されているため、コネクタハウジング本体を構成する材料は、ランスが端子を係止するのに必要な弾性を有したものでなければならなかったが、本発明の電気コネクタによれば、リテーナが端子を仮係止する仮係止部と端子を本係止する本係止部とを備えているので、コネクタハウジング本体にランスを設ける必要がないため、コネクタハウジング本体を構成する材料が制限されない。したがって、コネクタハウジング本体に強い機械強度が要求された場合には、要求された強度を確保するために、強度が強化されるが故に、端子を係止するためには弾性が乏しい樹脂、例えばポリブチレンテレフタレート（ＰＢＴ）樹脂にガラス繊維を充填して機械強度を強くしたガラス入りＰＢＴ等の樹脂を使用することができる。
【発明を実施するための最良の形態】
【００２０】
次に、図面を参照して、本発明に係る実施形態の電気コネクタについて説明する。本実施形態の電気コネクタは、例えば自動車のシートベルトのリトラクタ用スクイブコネクタとして、嵌合間口位置を変更する中間ハーネスに用いられるものである。
【００２１】
図１は、本実施形態における電気コネクタの斜視図、図２（ａ）は図１におけるリテーナの斜視図、図２（ｂ）は図２（ａ）を反対側から見た斜視図、図３は電気コネクタに挿入される端子の側面図、図４は電気コネクタに端子が挿入された際の主要断面図を示すものである。
【００２２】
本実施形態における電気コネクタ１は、図１に示す如く、コネクタハウジング本体２と、コネクタハウジング本体２に対し、着脱可能に挿着されるリテーナ３とから概略構成され、コネクタハウジング本体２に端子４（図３に示す）を後端から挿入して収容するようにしている。以下、本実施形態の電気コネクタ１は、図１において紙面奥側（相手側コネクタとの嵌合面）を前方（正面）、紙面手前側（電線が接続される側）を後方として説明する。なお、便宜上、図において紙面上側を上方、紙面下側を下方として説明する。
【００２３】
コネクタハウジング本体２は、内部に２本の端子４を収容する端子収容室２１と、端子収容室２１に連通して、端子４を挿入する挿入口２２が後壁に横に並列して２つ設けられている。後壁と略直角をなす上壁には、リテーナ３が着脱可能に挿着される略長方形の開口部２３が、長手方向が左右方向となるように設けられ、前方には正面に相手側コネクタ（図示しない）と結合するための結合口を有するドーム形状の結合部２４が設けられている。また上壁を介して対向する両側壁外面には、後壁から結合部２４の手前まで側壁に沿って略並行に２本の溝２５ａ、２５ｂが上下に設けられている。２本の溝２５ａ、２５ｂは、結合部２４側の端部から、開口部２３の短辺と略同距離Ｌにおいて、端子収容室２１と連通する孔を形成し、この孔が後述する窓部２６ａ、２６ｂを構成している。
【００２４】
リテーナ３は、図１、図２に示す如く、開口部２３に着脱可能に挿着されるものであって、挿着時に上方に位置する上壁と、該上壁を介して対向する左右両側壁と、上壁と左右両側壁とそれぞれ略直角をなし、挿着時にコネクタハウジング本体２の後方側に位置する後壁とからなる、略直方体の箱状に形成されている。以下、図２（ａ）において紙面奥側（挿着時、相手側コネクタと嵌合側）を前方、紙面手前側（挿着時、電線が接続される側）を後方として説明する。
【００２５】
後壁には、挿着時に挿入口２２と連通し、端子４が挿通される貫通孔３１が横に並列して２つ設けられていて、左右両側壁の外面には、それぞれ、コネクタハウジング本体２の窓部２６ａまたは／及び窓部２６ｂと係合する突起部３２ａ、３２ｂが上下に設けられている。さらに左右両側壁には、該側壁の前側端部から後方に向かって、前記下側の突起部３２ｂまで切り欠かれた窓部３３がそれぞれ設けられている。
【００２６】
また貫通孔３１の下方には、貫通孔３１の下端から内方に向かって延びる、弾性を有するランス３４’が突設されており、ランス３４’の自由端部には端子４に係合する係止爪３４ａが貫通孔３１に挿通される端子４に（上方に）向かって突出されている。このランス３４’が端子４を仮係止する仮係止部３４となる。
【００２７】
また貫通孔３１を挟んで仮係止部３４の反対側には、後壁の内面と、該内面と略直角をなす貫通孔３１の上面とによって形成される肩部３５ａが位置している。この肩部３５ａが端子４を本係止する本係止部３５となる。
【００２８】
ここで、本実施形態において特徴的なのは、仮係止部３４が本係止部３５よりも、リテーナ３の挿入方向において深い側に（下方に）位置するように設けられ、係止爪３４ａは浅い側に（上方に）向かって突出されていることである。
【００２９】
次に、図３に端子４の側面図を示す。紙面左から右に向かう方向（図中矢印方向）を、コネクタハウジング本体２に端子４を挿入する方向とし、紙面右側を前方、紙面左側を後方とする。
【００３０】
端子４は金属板を打ち抜き、折曲げ加工してなるものであり、図３に示す如く、角筒部４１の前方にはタブ４２が突出して設けられ、後方には、連結部４３を介して電線（図示しない）の一端部を圧着するためのバレル部４４が形成されている。バレル部４４には電線の導体を圧着するコンダクタバレル４４ａと絶縁被覆を圧着するインシュレーションバレル４４ｂが設けられている。また、角筒部４１の一面（図中下面）には前記挿入方向（図中矢印方向）の略中央位置に前述した係止爪３４ａと係合する仮係止用凹部４６が形成され、角筒部４１の後方端部から連結部４３に向かって形成された段部４７’が、前述した肩部３５ａと係合する本係止用段部４７となる。
【００３１】
ここで本実施形態において特徴的なのは、図４に示す如く、仮係止部３４の係止爪３４ａの内面から本係止部３５の肩部３５ａの内面までの距離Ｙが、挿入される端子の、前記距離Ｙと同方向の幅Ｘより小さくなるように構成されていることである。
【００３２】
次に、上記のように構成された本実施形態の電気コネクタ１において、コネクタハウジング本体２にリテーナ３を挿着して、コネクタハウジング本体２の端子収容室２１内部に収容された端子４を固定する過程を説明する。図５に端子を挿入する前の図１におけるＡ−Ａ断面図、図６に端子を仮係止した時の図１におけるＡ−Ａ断面図、図７に端子を本係止した時の図１におけるＡ−Ａ断面図をそれぞれ示す。
【００３３】
先ず、コネクタハウジング本体２の開口部２３にリテーナ３を挿入する。このとき、リテーナ３の、下側に位置する突起部３２ｂ、３２ｂが、コネクタハウジング本体２の、上側に位置する窓部２６ｂ、２６ｂとそれぞれ係合するようにして、リテーナ３を開口部２３に浅く挿入された第一の位置に保持しておく。このとき第一の位置では、図５に示す如く、コネクタハウジング本体２の挿入口２２とリテーナ３の貫通孔３１とが確実に連通した状態を保持できるため、端子をコネクタハウジング本体に円滑に挿入することができる。
【００３４】
次に、図６に示す如く、コネクタハウジング本体２に端子４を挿入する。端子４は一次係止部３４の係止爪３４ａを押し下げて端子収容室２１内に進入して所定位置までくると、係止爪３４ａが元の位置に復帰して、該進入した端子４の仮係止用凹部４６を係止する。この状態が仮係止部３４の端子４に対する仮係止である。このとき、上述したように、仮係止部３４が本係止部３５よりも、リテーナ３の挿入方向において深い側に（下方に）位置するように設けられ、係止爪３４ａは浅い側に（上方に）向かって突出されているので、端子４はリテーナ３がコネクタハウジング本体２に浅く挿入された第一の位置にあるときのみ仮係止される。このように端子４を仮係止しておけば、端子４に圧着されている電線が引っ張られる等した場合でも、端子４は挿入方向における動きが抑制されているので、コネクタハウジング本体２から簡単に抜けることがなく、後述する本係止を確実に行うことができる。
【００３５】
さらに、リテーナ３を第一の位置から深く挿入すると、リテーナ３の上下の突起部３２ａ、３２ｂが、コネクタハウジング本体２の上下の窓部２６ａ、２６ｂとそれぞれ係合して、リテーナ３はコネクタハウジング本体２に完全に挿入された第二の位置に確実に保持される。このとき、上述したように、仮係止部３４の係止爪３４ａの内面から本係止部３５の肩部３５ａの内面までの距離Ｙが、挿入される端子の、距離Ｙと同方向の幅Ｘより小さくなるように構成されているので、仮係止部３４によって仮係止されていた端子４の仮係止が外れる前に、本係止部３５によって端子４の本係止が開始されるため、端子４は対向する２方向から挟まれるようにして、仮係止部と本係止部の少なくとも一方によって必ず係止される。
【００３６】
そして、リテーナ３が第二の位置に完全に挿入されたときに、図７に示す如く、仮係止部３４による端子４の仮係止が完全に外れて、肩部３５ａによって端子４の本係止用段部４７が係止される。この状態が本係止部３５の端子４に対する本係止である。
【００３７】
このとき、上述したように、仮係止部３４が本係止部３５よりも、リテーナ３の挿入方向において深い側に（下方に）位置するように設けられているので、端子４はリテーナ３がコネクタハウジング本体２に深く挿入された第二の位置において、仮係止部３４による端子４の仮係止が完全に外れ、リテーナ３の挿入方向において浅い側に（上方に）位置する、すなわち貫通孔３１に挿通された端子４よりも上方に位置する本係止部３５のみによって端子４がコネクタハウジング本体２に本係止される。
【００３８】
このような構成により、ランス３４’（仮係止部３４）の弾性変位量を従来より小さくしても、本係止は本係止部３５によってなされているので、端子４を確実に係止することができ、ランス３４’（仮係止部３４）の変位空間を大きくする必要がないので、コネクタの小型化にも有利である。また、変位量を確保するためにランス３４’（仮係止部３４）を長くする必要がないため、破損しにくくなり、仮係止時に端子４を仮係止するための保持力を大きくすることもできる。
【００３９】
また、端子４は対向する２方向から挟まれるようにして、仮係止部３４と本係止部３５の少なくとも一方によって必ず係止されている状態を保持することができるので、端子４がコネクタハウジング本体２から抜ける可能性を低減させることができる。
【００４０】
また、端子４を端子収容室２１から抜き出すときは、リテーナ３を第一の位置まで引き上げて、コネクタハウジング本体２とリテーナ３にそれぞれ設けられた窓部２６ａ、３３から、棒状の解除治具を挿入して、図６に示す如く、係止爪３４ａと仮係止用凹部４６との間に生じる隙間Ｓに該解除治具を差し込み、仮係止部３４を下方に撓ませることにより、係止爪３４ａと仮係止用凹部４６との係合を解除する。係止爪３４ａが端子４から外れれば、端子４は容易に引き抜くことが可能となる。
【００４１】
このとき、コネクタハウジング本体２とリテーナ３にそれぞれ設けられた窓部２６ａ、３３が仮係止部３４を挟んで対向する左右両側面に設けられているので、棒状の解除治具を挿入して操作する際に、隙間Ｓの位置を外部から目視しながら操作することができるため、容易に仮係止を解除することができる。
【００４２】
なお本実施形態における電気コネクタは、仮係止部３４の係止爪３４ａの内面から本係止部３５の肩部３５ａの内面までの距離Ｙが、挿入される端子の、前記距離Ｙと同方向の幅Ｘより小さくなるように構成されているが、本発明の電気コネクタはこれに限られるものではなく、距離Ｙと幅Ｘが同距離であってもよい。その場合、仮係止部３４によって仮係止されていた端子４の仮係止が外れるのと同時に、本係止部３５によって端子４の本係止が開始されることになる。
【００４３】
また、本実施形態における電気コネクタは、２本の端子を収容可能な構造としたが本発明の電気コネクタはこれに限られるものではなく、例えば１本の端子を収容する構造や複数の端子を収容する構造のものでもよく、適宜に設計変更可能である。
【００４４】
また、本実施形態における電気コネクタは、コネクタハウジング本体とリテーナの左右両側壁にそれぞれ窓部を設けたが、本発明の電気コネクタはこれに限られるものではなく、端子の係止を解除することが可能であれば、例えば左右どちらか一方の側壁に窓部を設けてもよい。
【００４５】
以上のように構成された本発明の電気コネクタによれば、リテーナが端子を仮係止する仮係止部と端子を本係止する本係止部とを備えているので、コネクタハウジング本体にランスを設ける必要がないため、コネクタハウジング本体を構成する材料が制限されない。したがって、コネクタハウジング本体に強い機械強度が要求された場合には、要求された強度を確保するために、強度が強化されるが故に、端子を係止するためには弾性が乏しい樹脂、例えばポリブチレンテレフタレート（ＰＢＴ）樹脂にガラス繊維を充填して機械強度を強くしたガラス入りＰＢＴ等の樹脂を使用することができる。
【００４６】
また、リテーナが、弾性を有し端子を仮係止する仮係止部と、端子を本係止する本係止部とを備えているため、本係止部が弾性変位量を確保する必要がないので、電気コネクタの小型化または低背化を妨げる要素が低減し、さらに端子の本係止に必要な強度を十分に備えることができるため、本係止部によって端子を確実に本係止することができる。
【００４７】
また、本係止は本係止部によってなされているので、仮係止部の弾性変位量を従来より小さくしても、端子を確実に係止することができ、仮係止部の変位空間を大きくする必要がないので、コネクタの小型化にも有利である。
【００４８】
また、弾性変位量を確保するために仮係止部を長くする必要がないため、破損しにくくなり、仮係止時に端子を仮係止するための保持力を大きくすることもできる。
【００４９】
また、本係止部が貫通孔を挟んで仮係止部の反対側に設けられていて、リテーナが第一の位置から第二の位置に向かって挿入されることにより、第一の位置において仮係止部によって仮係止されていた端子の仮係止が、第二の位置で完全に外れて、端子は本係止部によって本係止されるので、端子は対向する２方向から挟まれるようにして、仮係止部と本係止部の少なくとも一方によって必ず係止されている状態を保持することができて、端子がコネクタハウジング本体から抜ける可能性を低減させることができる。
【００５０】
また、リテーナがコネクタハウジング本体に挿着された時に、コネクタハウジング本体の外部から仮係止部の仮係止を解除するために、コネクタハウジング本体とリテーナの仮係止部を挟んで対向する左右両側壁の少なくとも一方に、窓部が設けられた場合には、棒状の解除治具を挿入して操作する際に、仮係止の状態を外部から目視しながら操作することができるため、容易に係止を解除することができ、係止解除の操作性を向上させることができる。
【００５１】
さらに、リテーナの左右両側壁の外面の少なくとも一方に、少なくとも１つの凸部が設けられ、リテーナの両側壁の外面に対向するコネクタハウジング本体の左右両側壁の内面の少なくとも一方に、前記凸部と係合してリテーナを第一の位置と第二の位置に保持する凹部が設けられた場合には、第一の位置と第二の位置のそれぞれにおいて、リテーナをコネクタハウジング本体に確実に係止することができる。したがって、第一の位置では、コネクタハウジング本体の挿入口とリテーナの貫通孔とが確実に連通した状態を保持できるため、端子をコネクタハウジング本体に円滑に挿入することができ、第二の位置では、端子を本係止しているリテーナを、コネクタハウジング本体に係止しているので、端子の係止を強化することができる。
【図面の簡単な説明】
【００５２】
【図１】本発明の一実施形態にかかる電気コネクタの斜視図である。
【図２】図１におけるリテーナの斜視図である。
【図３】図１の電気コネクタに挿入される端子の側面図である。
【図４】図１の電気コネクタに端子が挿入された際の主要断面図である。
【図５】端子を挿入する前の図１におけるＡ−Ａ断面図である。
【図６】端子を仮係止した時の図１におけるＡ−Ａ断面図である。
【図７】端子を本係止した時の図１におけるＡ−Ａ断面図である。
【符号の説明】
【００５３】
１        電気コネクタ
２        コネクタハウジング本体
２１      端子収容室
２２      挿入口
２３      開口部
３        リテーナ
３１      貫通孔
３２      凸部
３３      窓部
３４      仮係止部
３４’    ランス
３４ａ    係止爪
３５      本係止部
３５ａ    肩部
４        端子
４６      仮係止用凹部
４７      本係止用段部
【図１】
2006344538.tif 000003
【図２】
2006344538.tif 000004
【図３】
2006344538.tif 000005
【図４】
2006344538.tif 000006
【図５】
2006344538.tif 000007
【図６】
2006344538.tif 000008
【図７】
2006344538.tif 000009